(57)【特許請求の範囲】
【請求項１】
便座と、便器の内面を洗浄する洗浄水を蓄える貯水タンクと、前記貯水タンクを覆う外装ケースとを備え、前記外装ケースは、下方に向かって末広がりになる側壁面と、上面を形成する天面とを一体的に形成し、前記天面の略中央に開口部を有し、前記開口部は開口部終端を下方に屈曲させ、前記天面の上方に配設する手洗いユニットの蛇口と水道水からの給水を行うボールタップとの連結部に対向する前記天面の前記開口部終端の屈曲部に飛散防止壁を形成し、前記飛散防止壁はその両側に側壁を形成し、前記側壁は前記天面の前記開口部の下方屈曲位置から前記飛散防止壁の終端部までとぎれなく形成されたトイレ洗浄装置。
【請求項２】
天面は、外周より開口部に向かって下方に傾斜した請求項１に記載のトイレ洗浄装置。
【請求項３】
天面は、外周に周壁面を形成した請求項１または２に記載のトイレ洗浄装置。
【請求項４】
天面の開口部終端を、貯水タンク内部に挿入する構成とした請求項１から３のいずれか１項に記載のトイレ洗浄装置。
【請求項５】
外装ケースをポリプロピレン樹脂で形成した請求項１から４のいずれか１項に記載のトイレ洗浄装置。
【発明の詳細な説明】
【０００１】
【発明の属する技術分野】
本発明は、便器内面を洗浄する洗浄水を蓄える貯水タンクと、前記タンクを覆う外装ケースとを備えたトイレ洗浄装置に関するものである。
【０００２】
【従来の技術】
従来、この種のトイレ洗浄装置は、例へば図６、図７、図８に示すように前面ケース１ａと後面ケース１ｂとを嵌合させて形成する構成とした外装ケース１と、これに内蔵され、便器２の内面を洗浄する洗浄水を蓄える貯水タンク３と、外装ケース１の上部に着脱可能な状態で載置し、手洗いユニット４、外装ケース１と回動状態で配置した便座５および便蓋６とで構成されている。
【０００３】
そして、外装ケース１と手洗いユニット４の間に、外装ケース１の上面を覆うように遮水ユニット７を載置し、手洗いユニット４で使用し集水孔９ら排出した水を、遮水ユニット７の略中央部に設けた開口部１０を介して貯水タンク３に導いている。
【０００４】
１１は手洗い水を放出する蛇口、１２は貯水タンク３および蛇口１１に洗浄水の供給をコントロールするボールタップ、１４はボールタップ１２と蛇口１１とを接続するホースを示す。
【０００５】
【発明が解決しようとする課題】
しかしながら、前記従来の構成では外装ケース１の上端が薄肉の端面であり、樹脂材料を使用して成型する場合、成型後の材料収縮により、成型後の形状変形が生じ易く、特に大型部品の成型には不向きな形状であった。このため、外装ケース１を分割して例へば前面ケース１ａと後面ケース１ｂとを嵌合させて形成する構成するべく複数部品として成型し、組立てなければならないなどの課題を有していた。
【０００６】
また、遮水ユニット７が独立部品であり、手洗いユニット４を載置する際などの載置忘れや、位置ズレを起こし、手洗い水が貯水タンク３外に飛散するなどの課題もあった。
【０００７】
さらに、外装ケース１を複合部品で構成するため、嵌合部の仕上がり状態が外観に影響を及ぼし易く、美観を損ない易いなどの課題もあった。
【０００８】
本発明は、前記従来の課題を解決するもので、外装ケースの成型時の変形を抑制し、手洗い水の効果的な集水を可能としたトイレ洗浄装置を提供することを目的とする。
【０００９】
【課題を解決するための手段】
前記従来の課題を解決するために、本発明のトイレ洗浄装置は、便座と、便器の内面を洗浄する洗浄水を蓄える貯水タンクと、前記貯水タンクを覆う外装ケースとを備え、前記外装ケースは、下方に向かって末広がりになる側壁面と、上面を形成する天面とで構成したものである。
【００１０】
これによって、外装ケースの、特に上部の機械的強度が強化され、成型後の材料収縮による変形を大幅に抑制することができる。
【００１１】
【発明の実施の形態】
請求項１に記載の発明は、便座と、便器内面を洗浄する洗浄水を蓄える貯水タンクと、前記タンクを覆う外装ケースとを備え、前記外装ケースは、下方に向かって末広がりになる壁面と天面とを一体的に形成し、前記天面の略中央に開口部を有し、前記開口部は開口部終端を下方に屈曲させ、前記天面の上方に配設する手洗いユニットの蛇口と水道水からの給水を行うボールタップとの連結部に対向する前記天面の前記開口部終端の屈曲部に飛散防止壁を形成し、前記飛散防止壁はその両側に側壁を形成し、前記側壁は前記天面の前記開口部の下方屈曲位置から前記飛散防止壁の終端部までとぎれなく形成されたことにより、外装ケース上部の機械的強度を強化し、成型後の変形が大幅に抑制でき、外装ケース上面に溜まった水を貯水タンクに集水することができる。
【００１２】
また、天面上方に配設する手洗いユニットの蛇口にホースを介して水道水からの給水を行うボールタップの連結部に対向する天面開口部終端の屈曲部に、飛散防止壁を形成する構成としたことにより、連結部からホースが外れた際の放出水が外装ケース外部あるいは貯水タンク外に飛散することを防止することができる。
【００１３】
請求項２に記載の発明は、請求項１に記載の発明の天面を、外周より開口部に向かって下方に傾斜させる構成としたことによりことにより、外装ケース上面に溜まった水を貯水タンクに効果的に集水することができる。
【００１４】
請求項３に記載の発明は、特に、請求項１または２に記載の発明の天面の外周に周壁面を形成する構成としたことにより、外装ケース上面に溜まった水の外部への濾水を防止することができる。
【００１５】
請求項４に記載の発明は、請求項１から３のいずれか１項に記載の発明の天面開口終端を、貯水タンク内部に挿入する構成としたことにより、開口部からの集水を、貯水タンク外に飛散させることなく、効果的に貯水タンクに導くことができる。
【００１６】
請求項５に記載の発明は、請求項１から４のいずれか１項に記載の発明の外装ケースをポリプロピレン樹脂で形成する構成としたことにより、洗剤等による材料劣化を大幅に抑制することができる。
【００１７】
【実施例】
以下本発明の実施例について、図面を参照しながら説明する。
【００１８】
（実施例１）
図１は本発明の実施例におけるトイレ洗浄装置の外観図、図２は同要部の分解斜視図、図３、図４はＡ−ＡおよびＢ−Ｂ断面図を示す。図１から図４に示すように外装ケース２１とこれに内蔵され、便器２２の内面を洗浄する洗浄水を蓄える貯水タンク２３と、外装ケース２１の上部に着脱可能な状態で載置した手洗いユニツト２４、外装ケース２１と回動状態で配置した便座２５および便蓋２６とで構成している。
【００１９】
そして、外装ケース２１は、下方に向かって末広がりになる側壁面２７と、上面を形成する天面２８とで一体的に構成するとともに、天面２８は、外周に周壁面２９を形成し、略中央に開口部３０を有し、外周すなわち周壁面２９下部より開口部３０に向かって下方に傾斜させている。
【００２０】
さらに、開口部終端３１を下方に屈曲させ屈曲部３２とし、開口部終端３１を、貯水タンク２３内部に挿入する構成としている。
【００２１】
一方、天面上方に配設する手洗いユニット２４は凹状の水受け部３３および水受け部の最下部に集水孔３４を有する手洗いユニット本体３５と貯水タンク２３側に設け、水道水からの洗浄水の給水をコントロールするボールタップ３６からホース３７を介して手洗い水を供給する蛇口３８とで構成し、周壁面２９の外周囲を手洗いユニット本体３５の下端内面で覆う状態で、外装ケース２１と手洗いユニット２４とを、着脱可能な状態としている。そして、図５に示す、同様の着脱部の形状で形成され、手洗い水を吐出する蛇口３８の無い天蓋ユニット３９とも交換可能な構成としている。
【００２２】
さらに、ボールタップ３６と蛇口３８接続するホース３７の連結部４０に対向する天面の開口部終端の屈曲部３２に、飛散防止壁４１を形成するとともに、その両側に、天面開口部３０の下方屈曲位置から飛散防止壁４１の終端部までとぎれなく形成された側壁４２を形成している。
【００２３】
外装ケース２１、便座２５、便蓋２６および手洗いユニット本体３５および天蓋ユニット３９をポリプロピレン樹脂で形成している。
【００２４】
以上のように構成されたトイレ洗浄装置について、以下その動作、作用を説明する。
【００２５】
使用後、排水栓（図示せず）を作動させることで、貯水タンク２３内の洗浄水が便器２２内に供給され、便器２２の内面を洗浄するとともに、貯水タンク２３に臨ませて配置しているボールタップ３６により、貯水タンク２３内に洗浄水が供給される。
【００２６】
一方、ボールタップ３６からはホース３７を介して手洗いユニット２４の蛇口３８にも洗浄水が供給され、使用後の排水が集水孔３４および外装ケース２１の天面の開口部３０を介して貯水タンク２３内に貯水される。
【００２７】
以上のように本実施例において外装ケース２１は、下方に向かって末広がりになる側壁面２７と、上面を形成する天面２８を設けることで外装ケース２１上部の機械的強度が強化され、成型時の材料の収縮による変形が大幅に抑制ができる。また、使用する樹脂材料の種別が拡大され、例へばポリプロピレン樹脂など、安価ではあるが収縮率が大きく、従来は、大型の成型品には不適材料とされていた材料の使用が可能となるなどの利点がある。
【００２８】
また、実施例の天面２８の開口部終端３１を下方に屈曲させて屈曲部３２を形成することで、天面２８の機械的強度をさらに高めることができる。
【００２９】
一方、天面２８の略中央に開口部３０を設けることで、蛇口２８とホースと２７の外れによる漏水や集水孔３４などからの飛翔水を貯水タンク２３に集水することができるとともに、天面２８を、外周より開口部３０に向かって下方に傾斜させることで、天面２８に溜まった水を貯水タンク２３に効果的に集水することができるとともに天面２８の機械的強度をさらに高めることができる。
【００３０】
また、天面２８の外周に周壁面２９を形成することで、外装ケース２１の上面に溜まった水が外部へ濾水するのを防止することができるとともに、天面開口終端３１を、貯水タンク２３内部に挿入することで、開口部３０からの集水を、貯水タンク２３外に飛散させることなく、効果的に貯水タンク２３に導くことができる。さらに外装ケース２１上部の機械的強度が高められる効果も得ることができる。
【００３１】
さらに、天面２８上方に配設する手洗いユニット２４の蛇口２８と水道水の給水を行うボールタップ３６との連結部４０に対向する天面開口部終端３１の屈曲部３２に、飛散防止壁４１を設けることで、連結部４０からホース３７が外れた際の水勢の強い放出水が外装ケース２１の外部あるいは貯水タンク２３外に飛散することを抑制することができるとともに、飛散防止壁４１の両側に側壁４２を形成し、その側壁４２は、天面開口部３０の下方屈曲位置から終端部３１までとぎれなく形成することで、放出水が飛散防止壁４１に衝突した際の新たな飛散水の飛散範囲を抑制することができる。さらに外装ケース２１上部の機械的強度が高められる効果も得ることができる。
【００３２】
さらに、天面２８上部は、手洗いユニット２４あるいは天蓋ユニット３９のいづれかに交換可能としたことで、使用者の利便性を高めることができる。すなわち、例へば、トイレ内に手洗装置（図示せず）の別設を希望する使用者の場合、トイレ洗浄装置の手洗いユニット２４は不用であり、こようなケースには蛇口３８などのない天蓋ユニット３９を載置することで利便性を高めることができる。
【００３３】
外装ケース２１や便座２５、便蓋２６、手洗いユニット本体３５、天蓋ユニット３９など、トイレ洗浄装置の外郭を構成する部材をポリプロピレン樹脂で形成することで、例へば界面活性剤や酸性溶剤を含有する洗剤でトイレ洗浄装置を清掃されること等によって発生するクラック、すなわちヒビ割れなどの材質劣化を大幅に抑制することができる。さらに紫外線による変色を大幅に抑制することができると同時に外装ケース２１など、外郭を構成する部材に異なる樹脂材料を使用することによる各部材間の変色差を大幅に抑制することができる。
【００３４】
すなわち、外装ケース２１など大型の成型品に対しては成型後の材料収縮に小さいＡＢＳ樹脂材料を使用することで対処し、便座２５、便蓋２６などの比較的小型の成型品については洗剤などによる影響の小さいポリプロピレン樹脂を使用する場合、両樹脂材料間での変色度合いが異なることなどによる各部材間の変色差を大幅に抑制することができる。
【００３５】
【発明の効果】
以上のように、本発明は、外装ケース上部の機械的強度が強化され、成型時の材料の収縮による変形が大幅に抑制ができる。したがって、使用する樹脂材料の種別が拡大され、例へばポリプロピレン樹脂など、安価ではあるが収縮率が大きく、従来は、大型の成型品には不適材料とされていた材料の使用が可能となるなどの利点がある。
【００３６】
さらに、手洗い水などの効果的な集水や内部連結部の不具合に対する安全性や美観性および利用者の利便性を高めることができる。
【図面の簡単な説明】
【図１】  本発明の実施例１におけるトイレ洗浄装置の外観図
【図２】  本発明の実施例１におけるトイレ洗浄装置の分解斜視図
【図３】  本発明の実施例１におけるトイレ洗浄装置のＡ−Ａ断面図
【図４】  本発明の実施例１におけるトイレ洗浄装置のＢ−Ｂ断面図
【図５】  本発明の実施例１におけるトイレ洗浄装置の天蓋ユニットの外観図
【図６】  従来のトイレ洗浄装置の外観図
【図７】  従来のトイレ洗浄装置の要部分解図
【図８】  従来のトイレ洗浄装置の遮水ユニットのＡ−Ａ断面図
【符号の説明】
２１  外装ケース
２２  便器
２３  貯水タンク
２４  手洗いユニツト
２５  便座
２６  便蓋
２７  側壁面
２８  天面
２９  周壁面
３０  開口部
３１  開口部終端
３２  屈曲部
３３  水受け部
３４  集水孔
３５  手洗いユニット本体
３６  ボールタップ
３７  ホース
３８  蛇口
３９  天蓋ユニット
４０  連結部
４１  飛散防止壁
４２  側壁
【図１】
0004517510.tif 000002
【図２】
0004517510.tif 000003
【図３】
0004517510.tif 000004
【図４】
0004517510.tif 000005
【図５】
0004517510.tif 000006
【図６】
0004517510.tif 000007
【図７】
0004517510.tif 000008
【図８】
0004517510.tif 000009